【事件の表示】
　特願２００５−　２７３９０「点滴器本体」拒絶査定不服審判事件〔平成１７年　８月１８日出願公開、特開２００５−２１９８１４〕について、次のとおり審決する。
【結　論】
　本件審判の請求は、成り立たない。
【理　由】
第１．手続の経緯 
　本願は、平成１７年２月３日（パリ条約による優先権主張、２００４年２月５日、欧州特許庁）の出願であって、平成２１年８月３１日付けで拒絶査定がなされ、これに対して、平成２２年１月８日に拒絶査定不服審判の請求がなされるとともに、同日付けで特許請求の範囲についての手続補正がなされたものである。 
　そして、当審において、平成２３年４月８日付けで拒絶理由が通知され、それに対して、平成２３年９月９日付けで特許請求の範囲を対象とする手続補正がなされたものである。　　 
 　　　 
 　　　 
第２．本願発明 
　本願の請求項１に係る発明は、平成２３年９月９日付けの手続補正により補正された請求項１に記載された事項により特定されるものであり、請求項１は以下のとおり記載されている。 
 　 
「点滴器本体（１２）と、キャップ（１３）と、容器本体（１１）とを有し、前記点滴器本体（１２）を前記容器本体（１１）に結合するとともに、前記点滴器本体（１２）を前記キャップ（１３）により封止する点滴ボトル（１０）において、
　点滴器本体（１２）は、一方の端部に第１液滴供給端部（１２２）を設け、他方の端部に開口底部（１２３）を設けた細長い部分（１２１）を有する構成とし、
　前記容器本体（１１）の口部（１１１）が、外側面（１１３）と、内側面（１１４）と、上面（１１２）とを有し、
　前記容器本体（１１）の前記口部（１１１）は、前記外側面（１１３）が、連続した底部エッジ（１１３′）を有する半径方向外方に突出する厚みのある環状リムの外側面を有するペニシリン型の口部とし、
　前記点滴器本体（１２）の開口底部（１２３）は、前記容器本体（１１）の口部（１１１）の内側面（１１４）に掛合しうる第１突出部（１２７）と、前記容器本体（１１）の口部（１１１）の外側面（１１３）に掛合しうる第２突出部（１２６）と、前記容器本体（１１）の口部（１１１）の上面（１１２）に掛合しうる座面（１２５）とを有する構成とし、
　前記第２突出部（１２６）は、前記容器本体（１１）の前記口部（１１１）の前記底部エッジ（１１３′）に掛合しうる隆起部（１２６′）を有する構成とし、
　前記点滴器本体（１２）が、さらに、前記容器本体（１１）の前記口部（１１１）の前記上面（１１２）上に形成した対応する少なくとも１個の隆起部（１１５）と協働する、前記座面（１２５）に形成した少なくとも１個のキャビティ（１２８）か、又は前記容器本体（１１）の前記口部（１１１）の前記上面（１１２）上に形成した対応する少なくとも１個のキャビティと協働する、前記座面（１２５）から突出した少なくとも１個の隆起部かを有する構成とし、
　前記キャップ（１３）が、さらに、前記キャップ（１３）と前記点滴器本体（１２）とが相対回転することを防止する相対回転防止装置（１３５，１２９）の一部（１３５）を有するロック用リング（１３２）を具え、
　前記前記点滴器本体（１２）は、前記相対回転防止装置の他方の一部（１２９）を有することを特徴とする点滴ボトル。」 
 （以下、請求項１に係る発明を「本願発明」という。） 
 　　　 
 　　　　 
第３．刊行物及び刊行物に記載された発明 
３−１．〔刊行物１とその記載事項〕 
　当審の拒絶理由において引用された本願優先日前に頒布された刊行物である英国特許第８３９２８５号明細書（以下、「刊行物１」という。）には、以下の事項が図面とともに記載されている。 
 　　 
（１ａ）「Improved caps or nozzles for bottles, jars and like containers」（発明の名称）
日本語訳「ボトル、瓶などの容器のための改良されたキャップやノズル」
（１ｂ）「This invention relates to improvements in bottles, jar and like containers (hereinafter referred to,for convenience, as' bottle' )and it refers particularly to the construction of cap or nozzle members for bottles used for containing and dispensing liquids as bottles for containing  eye  lotion , or nasal spray composition,or insecticide , and so on.」（第１頁左欄第９行〜第１６行）
日本語訳「この発明は、ボトル、瓶などの容器（以下、利便性のため、”ボトル”と呼ばれる）の改良に関し、それが特に目薬、または鼻スプレー組成物、または殺虫剤、などのために使用されるボトル用キャップやノズルに関する。」
（１ｃ）「Fig.1 is a perspective illustration of  the neck  portion of a bottle and of the cap or nozzle member for fitment thereto;」（第２頁右欄第８５行〜第８７行）
日本語訳「図1は、ボトルのネック部分とそれのためのキャップやノズル部材の斜視図である。」
（１ｄ）「Fig.3 is an axial cross section through the neck portion of a bottle and of the cap or nozzle member fitted to it;」（第２頁右欄第９０行〜第９２行） 
日本語訳「図3は、ボトルのネック部を通ってそれに取り付けられたキャップやノズル部材の軸方向断面図である。」
（１ｅ）「the neck １１ of a bottle」（第２頁右欄第１０３行）
日本語訳「ボトルの首１１」
（１ｆ）「The socket  portion 15 has a screw- thread 17 on its outer surface」（第２頁右欄第１２２行〜第１２３行）
日本語訳「ソケット部１５は、その外表面にねじ山１７を持っている。」
（１ｇ）「The nozzle 16 is of tapered shape and made a  suitable length, governed by the use to which the cap or nozzle member is to be put,and it has a coaxial passageway or chamber 21 and an outlet opening 22.」（第３頁左欄第２３行〜第２７行） 
日本語訳「ノズル１６は、テーパー形状のものであり、キャップやノズル部材が配置される場合に使用するに適した長さに作られており、そしてそれは同軸通路または室２１と２２の出口開口部を持っている。」
（１ｈ）「the inter-engagement of the ribs 12 in the grooves 18」（第３頁左欄第４２行〜第４３行）
日本語訳「溝１８と掛合しうるリブ１２」
（１ｉ）「the engagement of the ribs 19 in the grooves 13」（第３頁左欄第４５行〜第４６行）
日本語訳「溝１３内に掛合しうるリブ１９」
　　　　
　そして、上記記載（１ａ）〜（１ｉ）と図１及び図３から、刊行物１に記載されたボトルは、容器本体を有し、ソケット部１５には開口底部を設けており、ボトルの首１１が外側面と、内側面と、上面とを有し、ソケット部１５には容器本体の首１１の内側面に掛合しうる第１突出部と、前記容器本体の首１１の外側面に掛合しうる第２突出部と、前記容器本体の首１１の上面に掛合しうる座面とを有する構成とし、前記第２突出部は、前記容器本体の前記首１１の溝１３に掛合しうるリブ１９を有する構成としていることは明らかである。
　　　　
　そうすると、上記記載及び図１及び図３によれば、刊行物１には、次の発明（以下、「引用発明」という。）が記載されているものと認められる。 
 　　　 
「ソケット部１５と、容器本体とを有し、前記ソケット部１５を前記容器本体に結合するボトルにおいて、
　ソケット部１５は、一方の端部に出口開口部２２を設け、他方の端部に開口底部を設けた細長いノズル１６を有する構成とし、
　前記容器本体の首１１が、外側面と、内側面と、上面とを有し、
　前記ソケット部１５の開口底部は、前記容器本体の首１１の内側面に掛合しうる第１突出部と、前記容器本体の首１１の外側面に掛合しうる第２突出部と、前記容器本体の首１１の上面に掛合しうる座面とを有する構成とし、
　前記第２突出部は、前記容器本体の前記首１１の溝１３に掛合しうるリブ１９を有するボトル。」 
 　　
３−２．〔刊行物２とその記載事項〕 
　当審の拒絶理由において引用された本願優先日前に頒布された刊行物である実願昭５７−１５１７３９号（実開昭５９−５７３５９号）のマイクロフィルム（以下、「刊行物２」という。）には、以下の事項が図面とともに記載されている。 
 　　　 
（２ａ）「合成樹脂製の円状の上壁（１）の外周に筒部（２）を一体に設け、前記上壁（１）上に上筒（３）を設け、前記上壁（１）に無端状の裂溝（４）を形成して中蓋（５）を形成し、・・・（中略）・・・、又別に合成樹脂製の、前記上筒（３）に係合するキャップ部（６）の下部に、裂取部（７）を介して、前記筒部（２）に嵌合する筒体（８）を設けて外蓋（９）を形成し、前記筒部（２）と筒体（８）のどちらか一方に、他方に密接する突起（１０）を設けたことを特徴とする瓶蓋。」（実用新案登録請求の範囲） 
（２ｂ）「中蓋５の筒部２は、瓶口１５に打栓嵌着されると若干外方に拡げられ、このため前記突起１０は筒体８との間で弾性変形し、所謂押しつぶされる。従って前記筒部２は一層瓶口１５に圧接させられる。このためキャップ部６を掴んで回しても、中蓋２は共回りしない。」（第５頁第２行〜第７行） 　　　 
　　　　
　　　
第４．対比
　引用発明における「ソケット部１５」は本願発明の「点滴器本体（１２）」に相当し、以下同様に、「ボトル」は「点滴ボトル」に、「出口開口部２２」は「第１液滴供給端部（１２２）」に、「細長いノズル１６」は「細長い部分（１２１）」に、「首１１」は「口部（１１１）」に、「溝１３」は「底部エッジ（１１３′）」に、「リブ19」は「隆起部（１２６′）」に、それぞれ相当している。
　　
　そこで、本願発明と引用発明とを対比すると、両者の一致点、相違点は以下のとおりである。
　　
（一致点）
「点滴器本体と、容器本体とを有し、前記点滴器本体を前記容器本体に結合する点滴ボトルにおいて、
　点滴器本体は、一方の端部に第１液滴供給端部を設け、他方の端部に開口底部を設けた細長い部分を有する構成とし、
　前記容器本体の口部が、外側面と、内側面と、上面とを有し、
　前記点滴器本体の開口底部は、前記容器本体の口部の内側面に掛合しうる第１突出部と、前記容器本体の口部の外側面に掛合しうる第２突出部と、前記容器本体の口部の上面に掛合しうる座面とを有する構成とし、前記第２突出部は、前記容器本体の前記口部の底部エッジに掛合しうる隆起部を有する構成としてなる点滴ボトル。」
 　　　　 
（相違点１）
　本願発明においては、キャップを有するのに対し、引用発明はキャップを有するか否か不明である点。
（相違点２）
　本願発明においては、容器本体の口部は、外側面が、連続した底部エッジを有する半径方向外方に突出する厚みのある環状リムの外側面を有するペニシリン型の口部であるのに対して、引用発明における首１１は、外側面が、リブ１２により寸断されている個所以外は、溝１３の存在によって形成される連続した底部エッジを有する半径方向外方に突出する厚みのある環状リムの外側面を有するものである点。
（相違点３）
　本願発明においては、点滴器本体が、容器本体の口部の上面上に形成した対応する少なくとも１個の隆起部と協働する、座面に形成した少なくとも１個のキャビティか、又は前記容器本体の前記口部の前記上面上に形成した対応する少なくとも１個のキャビティと協働する、前記座面から突出した少なくとも１個の隆起部かを有する構成としているのに対して、引用発明においては、そのような構成ではない点。
（相違点４）
  本願発明においては、キャップが、さらに、前記キャップと点滴器本体とが相対回転することを防止する相対回転防止装置の一部を有するロック用リングを具え、前記点滴器本体は、前記相対回転防止装置の他方の一部を有するのに対して、引用発明においては、そのような構成ではない点。
　　　　　　　　　　
　　　　　　　　　　
第５．当審の判断
（相違点１）について
  刊行物１に記載されたボトルは、キャップを有するか否か不明であるが、当該刊行物の図１及び図３を参照すると、ソケット部１５に螺子山１７が設けられており、キャップを螺合させることが示唆されているといえ、また、仮に、前記螺子山１７がキャップを螺合させるためのものでないとしても、容器本体内にゴミ等不純物が入らないようにするために、ソケット部１５にキャップを被せることは通常行う周知慣用の技術である。
　したがって、引用発明１において、キャップを有するようにして、相違点１に係る本願発明の事項とすることは、当業者が容易に想起し得たものと認められる。 
（相違点２）について
　本願発明においては、容器本体の口部は、外側面が、連続した底部エッジを有する半径方向外方に突出する厚みのある環状リムの外側面を有するペニシリン型の口部であるのに対して、引用発明における首１１は、外側面が、リブ１２により寸断されている個所以外は、溝１３の存在によって形成される連続した底部エッジを有する半径方向外方に突出する厚みのある環状リムの外側面を有するものである。
　しかしながら、前記寸断個所を除けば本願発明と引用発明における容器本体の口部の形状は格別の差違はないものであると認められるし、又、本願発明におけるペニシリン型の口部なる形状の定義は、外側面が、連続した底部エッジを有する半径方向外方に突出する厚みのある環状リムの外側面を有するものであると認められ、そのような形状の容器は、本願出願前周知のもの（必要があれば、例えば、特開平９−１１８３４６号公報、実開昭５９−１２７６３８号公報を参照されたい。）であるから、引用発明において、容器本体を、ペニシリン型口部のものとして、相違点２に係る本願発明の事項とすることは、当業者が適宜なし得たものと認められる。 
（相違点３）について
　本願発明における、相違点３に係る構成の技術的意義は、本願明細書段落００３５にあるように、点滴器本体が容器本体に対して相対回転しないようにするためのものであるが、刊行物１の図１、図３に図示されているソケット部１５の溝１８と、それに掛合しうる容器本体のリブ１２も、その技術的意義は、本願発明と同じくソケット部１５が容器本体に対して回転しないようにするためのものであることは明らかであり、一般的に、２つの部材が相対的に回転するのを防止するために、前記２つの部材の一方に、少なくとも１個の凸部を設け、他方の部材には、前記凸部に対応する個数の少なくとも１個の凹部を設けて、それらが協働するように構成することは、本願出願前周知の技術（例えば、実開昭６３−６９５７８号公報、実開昭６１−１６１２６１号公報を参照）であるから、容器本体の口部の上面上と点滴器本体の開口底部の座面とに、一方に凸部を設け、他方に凹部を設けて、それらが協働するように構成することは、当業者が適宜なし得ることであって、本願発明のように、いわゆる隆起部とキャビティの形状にして、相違点３に係る本願発明の事項とすることも、当業者が適宜なし得た設計変更にすぎないものと認められる。　
（相違点４）について
  刊行物２における摘示記載（２ａ）（２ｂ）は、要するに、瓶などの容器において、キャップ部６と中蓋５の筒部２とが相対回転することを防止する相対回転防止装置を設けることが開示されており、引用発明において、明記はされていないものの通常被されるキャップと、ソケット部１５に相対回転防止装置を設けることは当業者が適宜なし得たものであり、刊行物２におけるキャップ部６の下半部の筒体８は本願発明におけるその形状から見てロック用リングであるといえるから、相違点４に係る本願発明の事項とすることも、当業者が適宜なし得たものであると認められる。 
 　　 
　そして、本願発明を全体構成でみても、本願発明が奏する効果は、引用発明及び刊行物２記載の技術事項及び周知技術から当業者が予測できたものであって、格別顕著なものとはいえない。 
　　　　
　したがって、本願発明は、刊行物１に記載の発明及び刊行物２に記載の技術事項及び周知技術に基いて、当業者が容易に発明をすることができたものである。 
 　　　 
 　　 
第５．むすび 
　以上のとおり、本願発明は、本願出願日前に頒布された刊行物１に記載された発明及び刊行物２に記載の技術事項及び周知技術に基いて、当業者が容易に発明をすることができたものであるから、特許法第２９条第２項の規定により、特許を受けることができないものであり、他の請求項に係る発明について検討するまでもなく、本願は拒絶されるべきものである。
 　　
　よって結論のとおり審決する。